(57)【要約】【課題】  本発明は、対応する機器を切り換える切り換えスイッチを設けることなく、複数の機器を間違えることなくそれぞれ遠隔操作することができるリモコン装置を提供することを課題とする。【解決手段】複数の操作キー３にそれぞれ割り当てられている機器Ａ用コマンドおよび機器Ｂ用コマンドをメモリ部に記憶しておき、押下された操作キー３に割り当てられている機器Ａ用コマンドを第１送信部５によって送信すると共に、押下された操作キー３に割り当てられている機器Ｂ用コマンドを第２送信部６によって第１送信部５とは異なる方向に送信するように構成することにより、第１送信部５を機器Ａに向けることで機器Ａを遠隔操作することができると共に、第２送信部６を機器Ｂに向けることで機器Ｂを遠隔操作することができる。【選択図】        図１
2007295055.tif 000002
【特許請求の範囲】
【請求項１】
複数の操作キーが配列され、前記操作キーを押下することで第１機器および第２機器を遠隔操作するリモコン装置であって、
複数の前記操作キーにそれぞれ割り当てられている第１機器用コマンドおよび第２機器用コマンドを記憶しているコマンド記憶手段と、
押下された前記操作キーに割り当てられている前記第１機器用コマンドおよび前記第２機器用コマンドを前記コマンド記憶手段から読み出す演算手段と、
該演算手段によって読み出された前記第１機器用コマンドを送信する第１送信手段と、
前記演算手段によって読み出された前記第２機器用コマンドを前記第１送信手段とは異なる方向に送信する第２送信手段とを具備することを特徴とするリモコン装置。
【請求項２】
第２送信手段は、前記第１送信手段による前記第１機器用コマンドの送信方向と反対方向に前記第２機器用コマンドを送信することを特徴とする請求項１記載のリモコン装置。
【請求項３】
前記第１送信手段を対象機器に向けると正位置で視認できる第１機器案内が前記第１送信手段の近傍に、前記第２送信手段を対象機器に向けると正位置で視認できる第２機器案内が前記第２送信手段の近傍にそれぞれ表記されていることを特徴とする請求項１又は２記載のリモコン装置。
【発明の詳細な説明】
【技術分野】
【０００１】
本発明は、機器を遠隔操作するリモコン装置に関し、特に複数の機器を遠隔操作することができるリモコン装置に関する。
【背景技術】
【０００２】
近年、リモコン装置によってテレビジョン装置、各種録再生機等の機器を遠隔操作することが一般的になっており、機器毎にリモコン装置が用意されているが、複数の機器を遠隔操作する場合には、各機器に対応しているリモコン装置を取り替えて使用しなければならないという不便さがある。そこで、対応する機器を切り換える切り換えスイッチを設け、当該切り換えスイッチを切り換えることで複数の機器を遠隔操作することが可能なリモコン装置が登場してきている（例えば、特許文献１参照）。
【０００３】
しかしながら、従来技術では、遠隔操作する機器に応じて切り換えキーの操作が必要になるため、切り換えキーの操作を忘れて意図しない機器を遠隔操作してしまう恐れがあるという問題点があった。
【特許文献１】特開昭６２−２３９７９１号公報
【発明の開示】
【発明が解決しようとする課題】
【０００４】
本発明は斯かる問題点に鑑みてなされたものであり、その目的とするところは、対応する機器を切り換える切り換えスイッチを設けることなく、複数の機器の遠隔操作を間違えることなく行うことができるリモコン装置を提供する点にある。
【課題を解決するための手段】
【０００５】
本発明は上記課題を解決すべく、以下に掲げる構成とした。
本発明のリモコン装置は、複数の操作キーが配列され、前記操作キーを押下することで第１機器および第２機器を遠隔操作するリモコン装置であって、
複数の前記操作キーにそれぞれ割り当てられている第１機器用コマンドおよび第２機器用コマンドを記憶しているコマンド記憶手段と、押下された前記操作キーに割り当てられている前記第１機器用コマンドおよび前記第２機器用コマンドを前記コマンド記憶手段から読み出す演算手段と、該演算手段によって読み出された前記第１機器用コマンドを送信する第１送信手段と、前記演算手段によって読み出された前記第２機器用コマンドを前記第１送信手段とは異なる方向に送信する第２送信手段とを具備することを特徴とする。
【０００６】
さらに、本発明のリモコン装置は、第２送信手段は、前記第１送信手段による前記第１機器用コマンドの送信方向と反対方向に前記第２機器用コマンドを送信することを特徴とする。
【０００７】
さらに、本発明のリモコン装置は、記第１送信手段を対象機器に向けると正位置で視認できる第１機器案内が前記第１送信手段の近傍に、前記第２送信手段を対象機器に向けると正位置で視認できる第２機器案内が前記第２送信手段の近傍にそれぞれ表記されていることを特徴とする。
【発明の効果】
【０００８】
本発明のリモコン装置は、複数の操作キーにそれぞれ割り当てられている第１機器用コマンドおよび第２機器用コマンドを記憶しておき、押下された操作キーに割り当てられている第１機器用コマンドを第１送信手段によって送信すると共に、押下された操作キーに割り当てられている第２機器用コマンドを第２送信手段によって第１送信手段とは異なる方向に送信するように構成することにより、第１送信手段を第１機器に向けることで第１機器を遠隔操作することができると共に、第２送信手段を第２機器に向けることで第２機器を遠隔操作することができるため、対応する機器を切り換える切り換えスイッチを設けることなく、本体の向きを変えるだけで複数の機器の遠隔操作を間違えることなく行うことができるという効果を奏する。
【０００９】
さらに、本発明のリモコン装置は、第１送信手段を対象機器に向けると正位置で視認できる第１機器案内を第１送信手段の近傍に、第２送信手段を対象機器に向けると正位置で視認できる第２機器案内を第２送信手段の近傍にそれぞれ表記させるように構成することにより、遠隔操作する対象機器をユーザが簡単に認識することができ、複数の機器を間違えることなくそれぞれ遠隔操作することができるという効果を奏する。
【発明を実施するための最良の形態】
【００１０】
以下、本発明の実施の形態を図面に基づいて詳細に説明する。
【００１１】
図１は、本発明に係るリモコン装置の実施の形態の外観構成を示す平面図であり、図２は、図１に示す操作キーの形状を説明する説明図であり、図３は、本発明に係るリモコン装置の実施の形態の内部構成を示すブロック図であり、図４は、図３に示すメモリ部に記憶されているデータ例を示す図である。
【００１２】
本実施の形態のリモコン装置１は、図１（ａ）に示すように、テレビジョン装置、各種録再生機等の機器Ａおよび機器Ｂを遠隔操作する機能を有し、図１（ｂ）を参照すると、扁平な略直方体形状の本体２の上面に複数の操作キー３が配置された操作部４が設けられていると共に、機器Ａを遠隔操作する機器Ａ用コマンドを送信する第１送信部５が本体２の長手方向一端部に、機器Ａを遠隔操作する機器Ｂ用コマンドを送信する第２送信部６が本体２の長手方向他端部にそれぞれ設けられている。
【００１３】
第１送信部５からの機器Ａ用コマンドと、第２送信部６からの機器Ｂ用コマンドとは、反対方向に送信されるようになっており、第１送信部５が設けられている本体２の一端部を機器Ａに向けると、機器Ａの遠隔操作を行うことができ、第２送信部６が設けられている本体２の他端部を機器Ｂに向けると、機器Ｂの遠隔操作を行うことができるようになっている。また、本体２の向き、すなわち第１送信部５もしくは第２送信部６のいずれが機器Ａ、Ｂの方向に向いているかを識別するため、第１送信部５が設けられている本体２の一端部側上面に、第１送信部５が機器Ａの方向に向いていることを表す機器案内７が、第２送信部６が設けられている本体２の他端部側上面に、第２送信部６が機器Ａの方向に向いていることを表す機器案内８がそれぞれ表記されている。なお、機器案内７および機器案内８は、例えば操作対象の機器Ａおよび機器Ｂの名称や種別名がそれぞれ記述され、機器Ａもしくは機器Ｂに向けて本体２を把持すると、遠隔操作可能な機器Ａもしくは機器Ｂの名称や種別名が正位置で視認できるようになっている。
【００１４】
操作キー３を側面から見ると、図２（ａ）に示すように、第１送信部５が設けられている本体２の一端部側、すなわち機器Ａ用コマンドが送信される方向に上方が傾斜している第１傾斜面３１と、第２送信部６が設けられている本体２の他端部側、すなわち機器Ｂ用コマンドが送信される方向に上方が傾斜している第２傾斜面３２とが形成され、図２（ｂ）に示すように、第１傾斜面３１には、第１送信部５から送信される機器Ａ用コマンドの機器Ａ用操作案内３３が、第２傾斜面３２には、図２（ｃ）に示すように、第２送信部６から送信される機器Ｂ用コマンドの機器Ｂ用操作案内３４がそれぞれ表記されている。従って、機器Ａに第１送信部５を向けて本体２を把持した場合には、図２（ｂ）に示すように、第２傾斜面３２よりも第１傾斜面３１が広く見え、第２傾斜面３２に表記されている機器Ｂ用操作案内３４に惑わされることなく、第１傾斜面３１に表記されている機器Ａ用操作案内３３を参照しながら機器Ａの遠隔操作を行うことができる。また、機器Ｂに第２送信部６を向けて本体２を把持した場合には、図２（ｃ）に示すように、第１傾斜面３１よりも第２傾斜面３２が広く見え、第１傾斜面３１に表記されている機器Ａ用操作案内３３に惑わされることなく、第２傾斜面３２に表記されている機器Ｂ用操作案内３４を参照しながら機器Ａの遠隔操作を行うことができる。なお、本実施の形態では、第１傾斜面３１および第２傾斜面３２を平面としたが、曲面であっても良い。
【００１５】
リモコン装置１は、図３を参照すると、発信回路１０からのクロック信号に基づいて動作するマイコン９によって制御され、マイコン９は、キー入力検出部９１と、メモリ部９２と、演算部９３と、送信制御部９４とを備えている。
【００１６】
キー入力検出部９１は、操作部４からの操作を受け付ける操作受け付け手段であり、操作キー３の押下を検出し、押下を検出した操作キー３を演算部９３に通知する。
【００１７】
メモリ部９２は、電源Ｖを切っても記憶内容が消去されないＲＯＭ等の記憶手段であり、演算部９３の動作が記述されたプログラムと、操作部４の各操作キー３の機能がコマンドとして記述されたキーデータが記憶されている。キーデータは、図４を参照すると、機器Ａを遠隔操作するための機器Ａ用データ領域と、機器Ｂを遠隔操作するための機器Ｂ用データ領域とからなり、操作キー３毎に割り当てられたコマンドが機器Ａ用データ領域および機器Ｂ用データ領域にそれぞれ格納されている。なお、操作キー３に対応する操作が割れ当てられていない場合には、コマンドの代わりに０データ列が格納されている。例えば、「ＫＥＹ８」は、機器Ｂのみの遠隔操作が割り当てられた操作キー３なので、機器Ａ用データ領域には、０データ列が格納され、逆に「ＫＥＹ９」は、機器Ａのみの遠隔操作が割り当てられた操作キー３なので、機器Ｂ用データ領域には、０データ列が格納されている。
【００１８】
演算部９３は、キー入力検出部９１から押下を通知された操作キー３に基づいてメモリ部９２に記憶されているキーデータを参照することで、対応するコマンドを読み出し、読み出したコマンドを送信制御部９４に出力する。なお、演算部９３は、コマンドの読み出しに際し、メモリ部９２に記憶されているキーデータの機器Ａ用データ領域および機器Ｂ用データ領域から機器Ａ用コマンドおよび機器Ｂ用コマンドをそれぞれ読み出し、読み出した機器Ａ用コマンドおよび機器Ｂ用コマンドを送信制御部９４に出力する
【００１９】
送信制御部９４は、第１送信部５を用いて、演算部９３から入力された機器Ａ用コマンドによって変調した赤外線信号を送信させると共に、第２送信部６を用いて、演算部９３から入力された機器Ｂ用コマンドによって変調した赤外線信号を送信させる。
【００２０】
第１送信部５は、コマンドによって変調した赤外線信号を送信する信号送信手段であり、トランジスタｔｒ１、抵抗Ｒ１および赤外線発光ダイオードＤ１により構成されている。また、第２送信部６も第１送信部５と同様に、コマンドによって変調された赤外線信号を送信する信号送信手段であり、トランジスタｔｒ２、抵抗Ｒ２および赤外線発光ダイオードＤ２により構成されている。
【００２１】
次に、本実施の形態の動作について図５を参照して詳細に説明する。
図５は、本発明に係るリモコン装置の実施の形態の動作を説明するためのフローチャートである。
【００２２】
キー入力検出部９１は、操作部４の操作、すなわち操作キー３の押下を監視しており、（ステップＡ１）操作キー３の押下を検出すると、押下を検出した操作キー３を演算部９３に通知する。
【００２３】
キー入力検出部９１によって押下が検出された操作キー３が通知されると、演算部９３は、キー入力検出部９１から押下を通知された操作キー３に基づいてメモリ部９２に記憶されているキーデータを参照することで、対応するコマンドを機器Ａ用コマンドおよび機器Ｂ用コマンドをそれぞれ読み出す（ステップＡ２）。
【００２４】
次に、演算部９３は、読み出した機器Ａ用コマンドが０データ列か否かを判断し（ステップＡ３）、読み出した機器Ａ用コマンドが０データ列でない場合には、読み出した機器Ａ用コマンドを送信制御部９４に出力し、送信制御部９４は、入力された機器Ａ用コマンドをキャリア周波数で変調した変調信号に基づいて第１送信部５のトランジスタｔｒ１をオンオフ制御する。これにより、トランジスタｔｒ１がオンである期間は、抵抗Ｒ１を介して赤外線発光ダイオードＤ１に電流が流れて赤外線が送信され、トランジスタｔｒ１がオフである期間は、赤外線発光ダイオードＤ１から赤外線は送信されず、第１送信部５から機器Ａ用コマンドによって変調された赤外線信号が送信される（ステップＡ４）。
【００２５】
ステップＡ３およびＡ４の処理に並行して、演算部９３は、読み出した機器Ｂ用コマンドが０データ列か否かを判断し（ステップＡ５）、読み出した機器Ｂ用コマンドが０データ列でない場合には、読み出した機器Ｂ用コマンドを送信制御部９４に出力し、送信制御部９４は、入力された機器Ｂ用コマンドをキャリア周波数で変調した変調信号に基づいて第２送信部６のトランジスタｔｒ２をオンオフ制御する。これにより、トランジスタｔｒ２がオンである期間は、抵抗Ｒ２を介して赤外線発光ダイオードＤ２に電流が流れて赤外線が送信され、トランジスタｔｒ２がオフである期間は、赤外線発光ダイオードＤ２から赤外線は送信されず、第２送信部６から機器Ｂ用コマンドによって変調された赤外線信号が送信される（ステップＡ６）。
【００２６】
ステップＡ３で読み出した機器Ａ用コマンドが０データ列である場合には、ステップＡ４の動作が行われることなく、ステップＡ５に至ると共に、ステップＡ５で読み出した機器Ｂ用コマンドが０データ列である場合には、ステップＡ６の動作が行われることなく、ステップＡ１に至り、操作キー３が押下される毎にステップＡ１およびＡ６の動作が行われる。
【００２７】
なお、本実施の形態では、赤外線信号を用いて機器Ａ用コマンドおよび機器Ｂ用コマンドを送信するように構成したが、赤外線信号よりも指向性が強い超音波信号を用いて機器Ａ用コマンドおよび機器Ｂ用コマンドを送信するようにすると、より好適である。すなわち、本実施の形態では、それぞれ反対方向に送信される機器Ａ用コマンドおよび機器Ｂ用コマンドの内の一方は、ユーザが送信を意図していないコマンドであり、指向性を強くすることで、対象機器とは反対方向に送信されたコマンドが反射によって対象の機器に送信されることを防止することができる。
【００２８】
以上説明したように、本実施の形態によれば、複数の操作キー３にそれぞれ割り当てられている機器Ａ用コマンドおよび機器Ｂ用コマンドをメモリ部９２に記憶しておき、押下された操作キー３に割り当てられている機器Ａ用コマンドを第１送信部５によって送信すると共に、押下された操作キー３に割り当てられている機器Ｂ用コマンドを第２送信部６によって第１送信部５とは異なる方向に送信するように構成することにより、第１送信部５を機器Ａに向けることで機器Ａを遠隔操作することができると共に、第２送信部６を機器Ｂに向けることで機器Ｂを遠隔操作することができるため、対応する機器を切り換える切り換えスイッチを設けることなく、本体２の向きを変えるだけで複数の機器の遠隔操作を間違えることなく行うことができるという効果を奏する。
【００２９】
さらに、本発明のリモコン装置は、第１送信部５を対象機器に向けると正位置で視認できる第１機器案内７を第１送信部５の近傍に、第２送信部６を対象機器に向けると正位置で視認できる第２機器案内８を第２送信部６の近傍にそれぞれ表記させるように構成することにより、遠隔操作する対象機器をユーザが簡単に認識することができ、複数の機器を間違えることなくそれぞれ遠隔操作することができるという効果を奏する。
【００３０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３１】
【図１】本発明に係るリモコン装置の実施の形態の外観構成を示す平面図である。
【図２】図１に示す操作キーの形状を説明する説明図である。
【図３】本発明に係るリモコン装置の実施の形態の内部構成を示すブロック図である。
【図４】図３に示すメモリ部に記憶されているデータ例を示す図である。
【図５】本発明に係るリモコン装置の実施の形態の動作を説明するためのフローチャートである。
【符号の説明】
【００３２】
１  リモコン装置
２  本体
３  操作キー
４  操作部
５  第１送信部
６  第２送信部
７  機器案内
８  機器案内
９  マイコン
１０  発信回路
３１  第１傾斜面
３２  第２傾斜面
３３  機器Ａ用操作案内
３４  機器Ｂ用操作案内
９１  キー入力検出部
９２  メモリ部
９３  演算部
９４  送信制御部
【図１】
2007295055.tif 000003
【図２】
2007295055.tif 000004
【図３】
2007295055.tif 000005
【図４】
2007295055.tif 000006
【図５】
2007295055.tif 000007